(57)【要約】【課題】  本発明は安全且つ簡易にスカイスポーツを行うことが可能となることにより、多くの人がスカイスポーツに参加できることを課題に研究をすすめた。【解決手段】万人向きのスカイスポーツを実現させるためには器具の取扱いの簡素化が必要であり、飛行経験の必要性を省くことが操作の容易性を生みだすことになる。本案はキャノピーの形状を進行方向に自ら直進するようにスパンに寸法差をつけ扇状にした。このため前後にコード差がつき傾斜角θが谷風をエアインテーク内に即座に取り入れることが可能となる。さらに扇形状のためアクセプト比がパラグライダーなどに比べて小さく揚力を制限でき操縦者の足が着くぐらいの低空を飛行できるため安全な空域での浮遊感を体験することができる。また左右の方向転換もコントロールバーとハーネスにかかる体重を移動すれば可能となるため習熟の必要性を無くし、非常に簡単で万人向きのスカイスポーツを提供することとなる。【選択図】  図７
2007062705.tif 000002
【特許請求の範囲】
【請求項１】
展開状態が扇状のキャノピー（１）の左右のセル（１ａ）の両端に設けた突片（１ｃ）に設けた小穴（１ｃ′）に複数のライン（２ａ）を取りつけ、ラビットリング（３）を介してライザー（４）を連結させ、該ライザーの他端をコントロールバー（５）に結合させる。該コントロールバーを並行に位置させ、ハーネス（６）を懸架させる。一方、セルの中間壁にあたるリブ（１ｅ）を下方に延長させ、左右のラビットリングに結ぶラインを挿通させるための小穴（１ｅ′）を穿設させたスカイスポーツ用器具。
【発明の詳細な説明】
【技術分野】
【０００１】    この発明は、第三図（イ）に示した如く展開状態が扇状のキャノピー（１）の左右のセル（１ａ）の両端に設けた突片（１ｃ）に複数のライン（２ａ）を取りつけ、ラビットリング（３）を介してライザー（４）を連結させ、該ライザーーの他端をコントロールバー（５）に結合させる。該コントロールバーを並行に位置させ、ハーネス（６）を懸架させる。さらに第五図に示す如く、キャノピーにかかる負荷を分散させるためにセルの中間壁にあたるリブ（１ｅ）を下方に延長させ、左右のラビットリングを結ぶラインを挿通させるための小穴（１ｅ′）を穿設させる。よってキャノピーの両端とリブの延長部に横掛けライン（２ｂ）を挿通することによってセルの両端部分にかかる負荷を分散軽減出来る。以上のようなキャノピーとササスペンションの結合を特徴としたスカイスポーツ器具に関するものである。
【背景技術】
【０００２】  従来、夏期におけるスキー場などでのスポーツとしてスカイスポーツが行われているが、主なものにハンググライダー、パラグライダーなどがある。蓋し、これらスカイスポーツはいずれも重装備の点や操作などの点から万人向きとはいえず、手軽な手法でのスカイスポーツの開発も求められいた。
【発明の開示】
【発明が解決しようとする課題】
【０００３】  本発明は安全且つ簡易にスカイスポーツを行うことが可能となることにより、多くの人がスカイスポーツに参加できることを課題に研究をすすめた。
【課題を解決するための手段】
【０００４】  万人向きのスカイスポーツを実現させるためには器具の取扱の簡素化が必要であり、飛行経験の必要性を省くことが操作の容易性を生み出すことになる。本案はキャノピー（１）の形状を進行方向に自ら直進するようにスパンに寸法差をつけ扇状にした。このため前後に高低差がつき、傾斜角θが谷風をエアインテーク（１ｂ）内に即座に取り入れることが可能となる。さらに扇形状のためアクセプト比がパラグライダーなどに比べ小さく揚力を制限でき操縦者の足が着くぐらいの低空を飛行できるため安全な空域での浮遊感を体験することができる。左右の方向転換もコントロールバー（５）とハーネス（６）にかかる体重を移動すれば可能となるため習熟の必要性を無くし、非常に簡単で万人向きのスカイスポーツを提供することとなる。
【発明の効果】
【０００５】  本発明は以上のような構成であるから、高度の高い空域を飛行するスカイスポーツのハンググライダー、パラグライダーとは全く異にするものである本発明の開発の目的は如何にスカイスポーツを簡単、たやすく万人に提供できるかであった。そのためには、危険度をゼロに近づけるために接地面に足が届く空域での浮遊感を楽しむことを目的とした。直滑降、スラロームなどのスポーツ競技としても発展でき、夏期における休暇中のスキー場など傾斜面を有する地形において行えるスポーツを開発した。スキー場等では昼間谷風が吹く為、この風を利用してキャノピーに低空を浮遊出来る程の揚力をもたせることが可能となる。さらに、地面を跳躍することによりキャノピー（１）にかかる負荷を軽くしてコントロールバー（５）のグリプ（５ｂ）にぶら下がった操縦者を浮上がらせ風をうまく調整することによって飛距離を伸ばしたり、臀部をハーネスの下部に設けた簡易シート部（６ａ）に乗せて腕にかかる負担を軽減させ、低空域を浮遊させる。これらの特徴を利用して足が地面に着く回数の少なさを競ったり、時間計測等で記録をつけたりする。以上のことから夏期を中心にして行える冬場のスキーに値するスポーツを目的とする。
【発明を実施するための裁量形態】
【０００６】  本発明の基本構成は前記のごとく扇状キャノピー（１）とコントロールバー（５）、ハーネス（６）であり、体を支持する器材、操縦の為のブレークコード等をを必要としないため軽量になる。展開時のキャノピーが扇状の為、立ち上げた際、前縁と後縁のコード差が進行方向に対して下がりの傾斜角を作り、谷風（Ｗ）をそれぞれのセルに設けたエアインテーク（１ｂ）に即座に封入できる。また前縁と後縁のスパンも全縁を短く後縁を長く形成される。以上のようなデルタ翼の要素を持つ形状になるためアスペクト比もパラグライダーに比べ小さく揚力を制限でき、低空飛行に適している。進行方向に機体自体が直進でき、飛行者はコントロールバーと該バーに懸架させたハーネスに体重を任せ、簡単な体重移動が左右方の向転換の操縦に値する。また低空飛行であるから、体をずらすことにより足が地面に常に接地可能のためアクセル・フットバー等の制御機構を必要とすることなく安全な空域を浮遊することできる。
【図面の簡単な説明】
【０００７】
【図１】無負荷状態を示す本発明の斜視図
【図２】操縦者を省いた飛行時のキャノピーの形状を示した一部破断した側面図
【図３】（イ）無負荷状態の平面側から見たキャノピーの形体図  （ロ）操縦状態の平面側から見たキャノピーの形体図
【図４】キャノピーと横掛けラインを示した参考図
【図５】キャノピーにかかる負荷の分散状態を示ず参考図
【図６】実施状態を示す参考図  （イ）準備状態  （ロ）助走状態  （ハ）谷風エアインテーク充満状態  （ニ）飛行状態
【図７】実施状態を示す斜視図
【図８】実施状態を示す正面図
【符号の説明】
（１）…キャノピー  （１ａ）…セル
（１ｂ）…エアインテーク  （１ｃ）…突片
（１ｃ′）…小穴  （１ｅ）…リブ  （１ｅ′）…小穴
（２ａ）…ライン  （２ｂ）…横掛けライン
（３）…ラビットリング  （４）…ライザー
（５）…コントロールバー  （５ａ）…パイプ
（５ｂ）…グリップ  （５ｃ）…キャップ
（６）…ハーネス  （６ａ）…シート部
【図１】
2007062705.tif 000003
【図２】
2007062705.tif 000004
【図３】
2007062705.tif 000005
【図４】
2007062705.tif 000006
【図５】
2007062705.tif 000007
【図６】
2007062705.tif 000008
【図７】
2007062705.tif 000009
【図８】
2007062705.tif 000010